(57)【要約】      （修正有）【課題】以前に特定された検査位置に関連付けて検査結果を記録できるとともに、必要な検査結果の確認を適切に行うことが容易となる情報処理装置を提供する。【解決手段】情報処理装置は、検査対象となる建造物の図面の情報を保持し、図面上で特定された検査位置に対応付けて、入力された検査情報を記録する検査情報記録処理と、一又は複数の検査位置からなる検査位置群を図面上に示した検査位置表示図面を表示する検査位置表示処理と、検査情報を対応する検査位置に関連付けて出力する出力動作と、を行う。所定条件が満たされたときに世代の設定を更新し、検査位置表示図面に示される検査位置群は、過去の世代に特定された検査位置も含む。検査情報記録処理は、過去の世代に特定された検査位置に対応付けて、入力された検査情報を記録する処理を含む。出力動作は、過去の世代に記録された前記検査情報の出力について、所定の制限を加える。【選択図】図４
2019079259.tif 000002
【特許請求の範囲】
【請求項１】
検査対象となる建造物の図面の情報を保持し、
前記図面上で特定された検査位置に対応付けて、入力された検査情報を記録する検査情報記録処理と、
一又は複数の前記検査位置からなる検査位置群を前記図面上に示した検査位置表示図面を表示する検査位置表示処理と、
前記検査情報を対応する前記検査位置に関連付けて出力する出力動作と、
を行う情報処理装置であって、
予め決められた条件が満たされたときに世代の設定を更新し、
前記検査位置表示図面に示される前記検査位置群は、過去の世代に特定された前記検査位置も含み、
前記検査情報記録処理は、過去の世代に特定された前記検査位置に対応付けて、入力された前記検査情報を記録する処理を含み、
前記出力動作は、
過去の世代に記録された前記検査情報の出力について、所定の制限を加えることを特徴とする情報処理装置。
【請求項２】
前記出力動作は、
現在の世代に記録された前記検査情報を出力する一方、過去の世代に記録された前記検査情報を出力しないことを特徴とする請求項１に記載の情報処理装置。
【請求項３】
所定の第１操作を受付けた場合に限り、過去の世代に記録された前記検査情報をも出力することを特徴とする請求項２に記載の情報処理装置。
【請求項４】
前記条件は、所定の第２操作を受付けたときに満たされることを特徴とする請求項１から請求項３の何れかに記載の情報処理装置。
【発明の詳細な説明】
【技術分野】
【０００１】
本発明は、建造物の検査情報の取扱いに好適な情報処理装置に関する。
【背景技術】
【０００２】
従来、マンション等の建造物の管理業務や保守メンテナンスのため、建造物の現場における経年劣化や外部要因による破損・汚れ等の検査が行われている。この検査では、カメラでの現場撮影や、経年劣化等の状況の記録などが行われ、これらの情報に基づいて、建造物の管理業務や保守メンテナンスの方針が決定される。
【０００３】
このような作業に際して、撮影データ等の建造物の検査情報が膨大な数になる場合であっても、各検査情報を正確に管理できることが望まれる。これを可能にする技術として、例えば特許文献１には、表示部に表示された図面上に検査位置が入力された場合に撮像部を起動させ、撮像部によって撮像された撮像データを、検査位置の緯度経度座標および検査日時と対応付けて記憶させる装置が開示されている。
【先行技術文献】
【特許文献】
【０００４】
【特許文献１】特開2008-197750号公報
【特許文献２】特開2015-118535号公報
【発明の概要】
【発明が解決しようとする課題】
【０００５】
上述した建造物の管理業務や保守メンテナンスは、同じ物件に対して適度な間隔で（例えば１年程度の周期で）繰返し実施されることが多い。このような場合には、建造物の管理業務や保守メンテナンスの必要な時期が来る度に同じ位置での検査が行われ、新たな検査結果に基づいて経年劣化の程度等が確認される。
【０００６】
そのため、上述したような装置に撮影データ等の検査結果を記録する場合、以前に特定された検査位置の情報を引継いで、その位置に関連付けて検査結果を記録できることが望ましい。しかし検査結果を確認する際に、新しい検査結果（今回の管理業務や保守メンテナンスに必要な検査情報）と古い検査結果（今回の管理業務や保守メンテナンスに不要な検査情報）が混在していると、必要な確認を効率良く行うことが難しくなったり、確認ミスを生じたりする虞がある。
【０００７】
本発明は上記の事情に鑑み、建造物の検査情報等の管理に好適でありながら、以前に特定された検査位置に関連付けて検査結果を記録できるとともに、必要な検査結果の確認を適切に行うことが容易となる情報処理装置の提供を目的とする。
【課題を解決するための手段】
【０００８】
本発明に係る情報処理装置は、検査対象となる建造物の図面の情報を保持し、前記図面上で特定された検査位置に対応付けて、入力された検査情報を記録する検査情報記録処理と、一又は複数の前記検査位置からなる検査位置群を前記図面上に示した検査位置表示図面を表示する検査位置表示処理と、前記検査情報を対応する前記検査位置に関連付けて出力する出力動作と、を行う情報処理装置であって、予め決められた条件が満たされたときに世代の設定を更新し、前記検査位置表示図面に示される前記検査位置群は、過去の世代に特定された前記検査位置も含み、前記検査情報記録処理は、過去の世代に特定された前記検査位置に対応付けて、入力された前記検査情報を記録する処理を含み、前記出力動作は、過去の世代に記録された前記検査情報の出力について、所定の制限を加える構成とする。
【０００９】
本構成によれば、建造物の検査情報等の管理に好適でありながら、以前に特定された検査位置に関連付けて検査結果を記録できるとともに、必要な検査結果の確認を適切に行うことが容易となる。なお本願における「世代」とは、直近に更新された時点から次に更新される時点までの期間（未だ一度も更新がなされていない期間は最初の世代とする）を表す概念である。
【００１０】
また上記構成としてより具体的には、前記出力動作は、現在の世代に記録された前記検査情報を出力する一方、過去の世代に記録された前記検査情報を出力しない構成としてもよい。本構成によれば、誤って過去の世代の検査情報に基づいて建造物の管理業務や保守メンテナンス等を行ってしまうことを、未然に防ぐことが可能となる。
【００１１】
また上記構成としてより具体的には、所定の第１操作を受付けた場合に限り、過去の世代に記録された前記検査情報をも出力する構成としてもよい。本構成によれば、過去の世代の検査情報を参照する必要性が生じた場合であっても、適切に対応することが可能となる。
【００１２】
また上記構成としてより具体的には、前記条件は、所定の第２操作を受付けたときに満たされる構成としてもよい。本構成によれば、例えば、建造物の管理業務や保守メンテナンスのために必要な検査を行う時期が来る度に第２操作を行い、適切に世代を更新させることが可能となる。
【発明の効果】
【００１３】
本発明に係る情報処理装置によれば、建造物の検査情報等の管理に好適でありながら、以前に特定された検査位置に関連付けて検査結果を記録できるとともに、必要な検査結果の確認を適切に行うことが容易となる。
【図面の簡単な説明】
【００１４】
【図１】本実施形態に係る情報処理システム１の構成に関するブロック図である。
【図２】情報サーバー１１に格納された各情報の例に関する説明図である。
【図３】本実施形態に係る情報端末１２の構成に関するブロック図である。
【図４】当該情報端末１２が実行する処理に関するフローチャートである。
【図５】ディスプレイ１２２に図面Ａが表示された状態の説明図である。
【図６】各情報が情報サーバー１１に格納されるまでの様子の説明図である。
【図７】各情報が情報サーバー１１に格納されるまでの様子の説明図である。
【図８】各情報が情報サーバー１１に格納されるまでの様子の説明図である。
【図９】各情報が情報サーバー１１に格納されるまでの様子の説明図である。
【図１０】各情報が情報サーバー１１に格納されるまでの様子の説明図である。
【発明を実施するための形態】
【００１５】
以下、本発明の実施形態について各図面を参照しながら説明する。図１は、本実施形態に係る情報処理システム１の概略的な構成を示すブロック図である。本図に示すように情報処理ステム１は、情報サーバー１１および複数個の情報端末１２を有している。後述の説明により明らかとなるが、情報処理システム１は、建造物（例えばマンション等）の経年劣化や外部要因による破損・汚れ等の検査（以下、単に「検査」と称する）および検査結果の管理に利用される。
【００１６】
情報サーバー１１は、建造物の検査に関する管理者等により、検査対象となる建造物の図面のデータ（以下、単に「図面」と称する）が適宜供給される。なお図面としては、建造物における検査を行う位置が特定し易い見取り図等が好適である。更に情報サーバー１１には、建造物の一部を撮影した写真等が供給されても良い。この写真等は、対応する建造物の図面に関連付けられて情報サーバー１１内に格納され、図面が情報端末１２へ送信される際には、その図面に関連付けられた写真等も一緒に情報端末１２に送信される。これにより、情報端末１２を用いる検査担当者は、予め用意された写真等を適宜利用して効率良く検査を進めることが可能となる。また情報サーバー１１は、複数個の情報端末１２それぞれとの通信が可能であり、各情報端末１２へ図面やその他の情報を送信したり、各情報端末１２から各種情報を受信して格納したりすることが出来る。これにより各情報端末１２は、情報サーバー１１を介して各種の情報を共有することが可能である。
【００１７】
図２は、情報サーバー１１に格納された各情報を例示している。本図に示す例では、供給された３個の図面Ａ〜Ｃが、情報サーバー１１に格納されている。また更に、図面Ａに関連付けられた３個の検査位置情報Ａ１〜Ａ３が格納されている。これらの検査位置情報Ａ１〜Ａ３それぞれは、図面Ａ上において別々に特定された位置を表す情報であり、例えば図面Ａ上の２次元座標の情報である。また更に、検査位置情報Ａ１に関連付けられた担当者情報Ａ１Ｗと検査情報Ａ１Ｘａと検査情報Ａ１Ｘｂが格納されている。
【００１８】
担当者情報Ａ１Ｗは、検査位置情報Ａ１についての検査担当者を表す情報（ログイン時に入力したＩＤ情報）であり、検査情報Ａ１Ｘａと検査情報Ａ１Ｘｂは、それぞれ検査位置情報Ａ１の位置での検査により得られた情報である。また更に、検査情報Ａ１Ｘａに関連付けられた世代情報Ａ１ＸａＺと、検査情報Ａ１Ｘｂに関連付けられた世代情報Ａ１ＸｂＺが格納されている。世代情報Ａ１ＸａＺは、検査情報Ａ１Ｘａがどの世代の情報かを表し、世代情報Ａ１ＸｂＺは、検査情報Ａ１Ｘｂがどの世代の情報かを表している。検査位置情報Ａ２および検査位置情報Ａ３にも、検査位置情報Ａ１の場合と同様にして各情報が関連付けられており、これらの情報も格納されている。上記の検査位置情報、担当者情報、検査情報、および世代情報は、後述の説明で明らかになるが、情報端末１２から送信されたものが情報サーバー１１に格納されたものである。
【００１９】
情報端末１２は、主に検査の担当者（検査担当者）によって利用される携帯型の通信機器であり、例えばタブレット型の通信機器やスマートフォン等が該当し得る。情報端末１２は携帯型であるため、検査担当者は、情報端末１を建造物の現場に持ち込んだ上で、各種操作を行うことが容易である。なお複数の情報端末１２それぞれは、図１に示すように、自機と他機を識別可能とする端末ＩＤの情報を有している。
【００２０】
図３は、情報端末１２の概略的な構成を示すブロック図である。本図に示すように情報端末１２は、制御部１２１、タッチパネル式ディスプレイ（以下、単に「ディスプレイ」と称する）１２２、記憶部１２３、通信部１２４、撮影部１２５、およびマイク部１２６などを有する。
【００２１】
制御部１２１は、情報端末１２が行うべき処理（図４に示す処理など）が適切に実行されるように、情報端末１２の各部を適切に制御する機能部である。ディスプレイ１２２は、各種の視覚的情報を表示する機能と、使用者による各種の操作入力を受付ける機能を兼ね備える。ディスプレイ１２２はタッチパネル式であるため、例えばディスプレイ１２２に図面が表示された状況において、検査担当者等は、当該図面上の任意の位置をタップして指定することが容易である。
【００２２】
記憶部１２３は、情報サーバー１１から受信した図面等、各種の情報を記憶可能とする機能部である。通信部１２４は、通信用アンテナ等からなり、情報サーバー１１等との情報通信を実行可能とする機能部である。撮影部１２５は、情報端末１２に内蔵されたカメラ等からなり、撮影データの取得を可能とする機能部である。マイク部１２６は、情報端末１２に内蔵されたマイクロホン等からなり、音声データの取得を可能とする機能部である。
【００２３】
次に、情報端末１２が実行する主な処理について、図４に示すフローチャートを参照しながら説明する。
【００２４】
まず情報端末１２は、ログイン処理を実行する（ステップＳ０）。このログイン処理は、検査担当者ごとに異なるように予め割り当てられているＩＤ情報の入力操作を要求する。ＩＤ情報が入力されるとログインが完了し、以降、所定のログオフの処理がなされるまで当該ログインが有効となる。
【００２５】
このようにログイン処理が行われることにより、同じ情報端末１２を複数の検査担当者で使い回すようにしても、各検査担当者は情報端末１２を適切に使用することが可能である。ログイン処理が完了すると、情報端末１２は、検査担当者による各種の操作指示或いは操作指定を受付ける状態となる（ステップＳ１〜Ｓ６）。以下、これについてより具体的に説明する。
【００２６】
情報端末１２は、世代更新の操作指示（本発明の第２操作に相当する）がなされた際には（ステップＳ１のYes）、世代の更新を実行する（ステップＳ１１）。この「世代」は、直近に更新された時点から次に更新される時点までの期間（未だ一度も更新がなされていない期間は最初の世代とする）を表す概念であり、最初は「第１世代」に設定されているが、上記の世代更新の操作指示がなされる度に「第２世代」、「第３世代」、・・・というように世代が逐次更新される。例えば、第３世代のときに記録された検査情報は、第３世代の検査情報として取り扱われることになる。
【００２７】
また情報端末１２は、図面取得の操作指示がなされた際には（ステップＳ２のYes）、情報サーバー１１から図面を受信して保持することにより、当該図面を取得する（ステップＳ１２）。より具体的に説明すると、情報端末１２は、情報サーバー１１に記録されている各図面のうちの何れかが、検査担当者等によって指定される。これに応じて情報端末１２は、情報サーバー１１に対して指定された図面の送信を要求する。情報サーバー１１は、当該要求に応じてその図面をその情報端末１２へ送信するようになっており、当該情報端末１２はこの図面を受信して保持することになる。なお、情報端末１２は、情報サーバー１１において図面に付随する各情報（検査位置情報、担当者情報、検査情報、世代情報）が記録されている場合には、図面とともに当該付随する情報も一緒に取得する。
【００２８】
また情報端末１２は、ステップＳ１２の処理により取得済みの図面について、図面表示の操作指示がなされた際には（ステップＳ３のYes）、その図面をディスプレイ１２２に表示する（ステップＳ１３）。なお、情報端末１２に複数の図面が取得されている場合は、検査担当者等はそのうちの任意の図面を操作選択することが可能であり、選択された図面がディスプレイ１２２に表示される。また、選択された図面に検査位置情報が付随している場合は、その検査位置がピンによって示される。より具体的に説明すると、情報端末１２は、図面およびこれに付随する検査位置情報に基づいて、ピンを重ねた図面を生成してディスプレイ１２２に表示させる。なお複数の担当者ＩＤに関係する検査位置情報がある場合には、情報端末１２は、全ての担当者ＩＤに関係する検査位置をピンで示すようにしても良く、一部の担当者ＩＤの操作指定を受付けて、指定された担当者ＩＤに関係する検査位置をピンで示すようにしても良い。
【００２９】
図５は一例として、ディスプレイ１２２に図面Ａが表示された状態を例示している。なおこの例では、図面Ａには図２に示す通りに各情報が関連付けられているとし、担当者情報Ａ１ｗと担当者情報Ａ２ｗは担当者ＩＤ「ＡＡＡ」であり、担当者Ａ３ｗは担当者ＩＤ「ＢＢＢ」であるとする。本図に示す例では、ディスプレイ１２２には建造物の図面が３個のピンＰ１〜Ｐ３とともに示されている。これらのピンＰ１〜Ｐ３は、建造物における検査位置を指し示す表示であり、対応する担当者ＩＤに応じて色分けされている。そのため図５に示す表示からは、ピンＰ１とピンＰ２が指し示す検査位置は同一の検査担当者（担当者ＩＤが「ＡＡＡ」である検査担当者）によって特定されたものであり、ピンＰ３が指し示す検査位置は別の検査担当者（担当者ＩＤが「ＢＢＢ」である検査担当者）によって特定されたものであることが、一目で容易に把握可能である。
【００３０】
また情報端末１２は、ステップＳ１３の処理によりディスプレイ１２２に表示された図面について、縮尺変更の操作指示がなされた際には（ステップＳ４のYes）、その図面の縮尺を変更する（ステップＳ１４）。これにより検査担当者は、図面の縮尺を所望の状態に調節することが出来るため便利である。例えば検査担当者は、これから検査を行おうとする位置を中心として図面を拡大しておき、その位置を精度良く指定して特定すること等が可能である。
【００３１】
また情報端末１２は、ステップＳ１３の処理によりディスプレイ１２２に表示された図面について、その図面上の任意位置の指定操作がなされた際には（ステップＳ５のYes）、その位置（新たな検査位置）を特定する「検査位置情報」とともに、これに付随する情報として、直近のログイン処理に用いられた担当者ＩＤが「担当者情報」として記録される（ステップＳ５ａ）。なお、ここでの任意位置の指定操作は、その位置を指先等でタップする（例えば0.5秒以上、継続してタップする）ことにより実現される。
【００３２】
次に情報端末１２は、今回特定された新たな検査位置について、検査情報の記録動作を開始する（ステップＳ１５）。検査情報の記録動作が開始されると、検査担当者は、情報端末１２を用いて建造物の壁などを撮影したり、「目視による異常なし」や「経年劣化によるひび割れ有り」といったメッセージをテキスト（文字列）や音声（検査担当者の声）として情報端末１２へ入力したりすることが可能である。
【００３３】
このようにして得られた撮影データ、テキストデータ、或いは音声データは、今回の検査位置についての検査情報として（検査位置情報に付随する検査情報として）情報端末１２に記録される。この際、当該検査情報の付随情報として、現在の世代も「世代情報」として記録される。その後、記録動作を終了させるための所定操作がなされると、今回の記録動作は終了する。
【００３４】
ステップＳ５、Ｓ５ａ、およびＳ１５の一連の処理が行われることにより、検査担当者は、新たな検査位置での検査を効率よく行うことが可能である。すなわち情報端末１２２を所持した検査担当者は、検査を行う位置に到着後、表示されている図面上におけるその位置をタップするだけで、当該位置を自分が担当する検査位置として記録させることができるとともに、検査情報を当該位置に自動的に関連付けて記録させることができる。
【００３５】
なお、今回新たに記録された検査情報および付随情報は、情報サーバー１１へ送信されて格納され、他の情報端末も共有できる状態とされる。また、検査情報の記録動作が開始された際、情報端末１２が自動的に撮影を実行し、これにより得られた撮影データが検査情報として記録されるようにしても良い。このようにすれば、検査情報を入力するための操作負担を軽減することが可能である。
【００３６】
また情報端末１２は、ステップＳ１３の処理によりディスプレイ１２２に表示された図面について、その図面上のピンの指定操作がなされた際には（ステップＳ６のYes）、更に、そのピンの検査位置に関する情報の「記録」および「出力」の何れかの指示を受付ける（ステップＳ６ａ）。記録の指示を受付けた場合には（ステップＳ６ａの「記録」）、その検査位置についての検査情報の記録動作を開始する（ステップＳ１５）。これにより、当該検査位置についての新たな検査情報を追加的に記録させることが可能である。
【００３７】
一方で出力の指示を受付けた場合には（ステップＳ６ａの「出力」）、その検査位置について既に記録済みである検査情報の出力動作を開始する（ステップＳ１６）。当該出力動作が開始されると、例えば、その検査位置に対応した検査情報の一覧がディスプレイ１２２に表示される。検査管理者等によって、当該一覧中の撮影データの表示部分がタップされるとその撮影データが拡大表示され、テキストデータの表示部分がタップされるとそのテキストの全文が表示され、音声データの表示部分がタップされるとその音声データが再生される。このようにして検査情報が出力されるため、検査の管理者等は今回指定した検査位置についての検査情報を確認し、建造物の管理業務や保守メンテナンスに役立てることが可能である。
【００３８】
また本実施形態ではステップＳ１６の処理の実行の際、情報端末１２に記録されている検査情報のうち、通常は、現在の世代の検査情報のみが出力されるようになっている。例えば現在設定されている世代が「第３世代」である場合、第３世代の検査情報のみが出力され、第２世代以前（過去の世代）の検査情報（古い検査情報）は出力されない。これにより、古い検査情報（今回の管理業務や保守メンテナンスには不要な検査情報）が出力されないようにし、比較的新しい検査情報（今回の管理業務や保守メンテナンスに必要な検査情報）をより効率良く確認することが可能となる。別の見方をすれば、過去の世代に特定された検査位置の情報を引継いで、その検査位置に関連付けるように新しい世代の検査情報を記録していき、その後、当該記録された新しい検査情報だけを出力させることが可能となる。
【００３９】
但し、古い検査情報も参照用情報として確認できることが、便利となるケースも考えられる。例えば、同じ検査位置におけるひび割れ等の進行状況を確認する場合には、新しい検査情報と古い検査情報を比較することが有効である。そこで情報端末１２は、ステップＳ１６の処理の実行時に所定の操作（本発明の第１操作に相当する）がなされた場合に限り、過去の世代の検査情報も参照用情報として出力する。このように本実施形態では、過去の世代に記録された検査情報の出力について、所定の制限（当該所定の操作がなされない限りは出力されない）を加えながらも、使用者による当該所定操作がなされた場合には出力されるようになっている。
【００４０】
ここで情報処理システム１における情報処理の流れをより理解容易とするため、一例として、図２に破線で囲まれた各情報が情報サーバー１１に格納されるまでの様子を、図６〜図１０を参照しながらより具体的に説明する。
【００４１】
図６は、情報サーバー１１に図面Ａ〜Ｃが供給されているが、情報端末１２は未だ図面を取得していない状況を示している。この状況下、通信端末１２において図面Ａを取得する操作指示（ステップＳ２）がなされると、図７に示すように、通信端末１２は情報サーバー１１から図面Ａを取得する。
【００４２】
更にこの状況下、通信端末１２において図面Ａを表示させる操作指示（ステップＳ３を参照）がなされた後、図面Ａ上のある位置（ここでは、検査位置情報Ａ１の位置）の操作指定（ステップＳ５）がなされると、図８に示すように、図面Ａに関連付けられた検査位置情報Ａ１、および検査位置情報Ａ１に関連付けられた担当者情報Ａ１が記録される。その後、検査情報の記録動作が開始されて検査情報が入力されると（ステップＳ１５）、図９に示すように情報端末１２には、検査位置情報Ａ１に関連付けられた検査情報Ａ１Ｘａ、および検査情報Ａ１Ｘａに対応付けられた世代情報Ａ１ＸａＺが記録される。
【００４３】
更にその後、図１０に示すように、今回新たに記録された各情報は情報サーバー１１に送信され、情報サーバー１１において図面Ａに対応付けて格納される。なおこの後、別の情報端末１２が情報サーバー１１から図面Ａを取得する際には、その情報端末１２は図面Ａに加えて、この付随情報として、検査位置情報Ａ１、担当者情報Ａ１Ｗ、検査情報Ａ１Ｘａ、および世代情報Ａ１ＸａＺも取得することが可能である。このように、複数の情報端末１２それぞれにおいて取得された各情報は情報サーバー１１にアップロードされ、各情報端末１２はこれをダウンロードして取得することが可能である。これにより各情報端末１２は、他の情報端末１２で取得された各情報も容易に取得することができ、これを自機で取得済みの情報に統合して適切に処理し、図５に示した表示等を行うことが出来るのである。
【００４４】
以上に説明したとおり本実施形態に係る情報端末１２は、検査対象となる建造物の図面の情報を保持し、前記図面上で特定された検査位置に対応付けて、入力された検査情報を記録する検査情報記録処理（ステップＳ１５）と、一又は複数の前記検査位置からなる検査位置群を前記図面上に示した検査位置表示図面を表示する検査位置表示処理（ステップＳ１３）と、前記検査情報を対応する前記検査位置に関連付けて出力する出力動作（ステップＳ１６）と、を行う。
【００４５】
建造物の現場における経年劣化や外部要因による破損・汚れ等の検査として、従来は、検査位置でのカメラ撮影やノートへの検査結果のメモ等が行われることが通常であったが、この手法では事後的に、撮影データやメモ内容等を検査位置に関連付けて検査結果を整理する作業が必要となり、非常に時間と手間がかかるとともに作業ミスが問題となっていた。しかし上記の情報端末１２によれば、検査位置に対応付けて各種検査情報が記録されるため、このような問題を解消させることが可能である。更に、検査位置を図面上に示すとともに、検査結果を対応する検査位置に関連付けて出力させることができるため、検査位置ごとの検査結果の確認が非常に容易となる。なお情報端末１２には、所望の検査結果や検査位置等の確認に役立つ諸機能を適宜設けるようにしても良い。一例としては、キーワード検索の機能を設けておき、「ひび割れ」などのキーワードを操作入力すれば、このキーワードを含む検査結果のみが抽出されて出力されたり、当該検査結果に関係する検査位置のみが図面上にピン表示されたりしても良い。
【００４６】
そして更に情報端末１２は、予め決められた条件が満たされたときに世代の設定を更新し（ステップＳ１１）、前記検査位置表示図面に示される前記検査位置群は、過去の世代に特定された前記検査位置も含み、前記検査情報記録処理は、過去の世代に特定された前記検査位置に対応付けて、入力された前記検査情報を記録する処理を含み、前記出力動作は、過去の世代に記録された前記検査情報の出力について、所定の制限を加えるようになっている。
【００４７】
そのため情報端末１２によれば、建造物の検査情報等の管理に好適でありながら、以前に特定された検査位置に関連付けて検査結果を記録することが可能である。また更に、検査結果を確認する際に、現在の世代の検査結果（今回の管理業務や保守メンテナンスに必要な検査情報）と過去の世代の検査結果（今回の管理業務や保守メンテナンスに不要な検査情報）が混在しないようにし、必要な確認を効率良く行うとともに確認ミスを極力防ぐことが可能である。
【００４８】
また前記出力動作は、現在の世代に記録された前記検査情報を出力する一方、過去の世代に記録された前記検査情報を出力しないようになっている。これにより、誤って過去の世代の検査情報に基づいて建造物の管理業務や保守メンテナンス等を行ってしまうことを、未然に防ぐことが可能である。
【００４９】
また情報端末１２は、所定の第１操作を受付けた場合に限り、過去の世代に記録された前記検査情報をも出力するようになっている。これにより、過去の世代の検査情報を参照する必要性が生じた場合であっても、適切に対応することが可能である。なお、上記「所定の制限」の具体的態様としては、このように第１操作を受付けるまで出力されないようする態様の他、種々の態様が採用され得る。一例としては、過去の世代に記録された検査情報については、撮影された写真に限って出力される（テキスト等は出力されない）態様としても良く、現在の世代に記録された検査情報に比べて簡易的に出力される態様としても良い。また、過去の世代に記録された画像（撮影された写真等）が所定の操作によって出力される（呼び出される）ようにしておき、適宜それを参照できるようにしても良い。
【００５０】
また前記条件は、所定の第２操作を受付けたときに満たされるようになっている。そのため、例えば、建造物の管理業務や保守メンテナンスのために必要な検査を行う時期が来る度に第２操作を行い、適切に世代を更新させることが可能である。但し、どのような場合に当該条件が満たされるようにするかは特に限定されるものではなく、例えば、建造物の管理業務や保守メンテナンスが行われる周期（一例として１年の周期）ごとに、当該条件が自動的に満たされるようにしても良い。
【００５１】
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００５２】
本発明は、建造物の検査情報の管理に用いる情報処理装置等に利用可能である。
【符号の説明】
【００５３】
１        情報処理システム
１１      情報サーバー
１２      情報端末（情報処理装置）
１２１    制御部
１２２    タッチパネル式ディスプレイ
１２３    記憶部
１２４    通信部
１２５    撮影部
１２６    マイク部
【図１】
2019079259.tif 000003
【図２】
2019079259.tif 000004
【図３】
2019079259.tif 000005
【図４】
2019079259.tif 000006
【図５】
2019079259.tif 000007
【図６】
2019079259.tif 000008
【図７】
2019079259.tif 000009
【図８】
2019079259.tif 000010
【図９】
2019079259.tif 000011
【図１０】
2019079259.tif 000012